(57)【要約】【課題】  電源基板を容器本体の前方側において保護枠との間隔が前方側から後方側にかけて狭くなるように傾斜させることにより、コネクタの配置箇所を自由に設定でき、配線の長さを短くでき、且つ全体を小型化することができる炊飯器を提供すること。【解決手段】  内壁を形成する保護枠、外壁を形成する本体ケースからなる容器本体と、該容器本体に対し開閉自在な蓋部材と、前記保護枠と前記本体ケースとの間に設けられる加熱手段と、スイッチ、表示部を取り付けるマイコン基板と、各種電子部品を取り付ける電源基板とを備えてなる炊飯器において、前記電源基板を前記容器本体の前方側において前記保護枠との間隔が前方側から後方側にかけて狭くなるように傾斜させる炊飯器。【選択図】        図１
2005288046.tif 000002
【特許請求の範囲】
【請求項１】
内壁を形成する保護枠、外壁を形成する本体ケースからなる容器本体と、該容器本体に対し開閉自在な蓋部材と、前記保護枠と前記本体ケースとの間に設けられる加熱手段と、表示部が取り付けられるマイコン基板と、前記表示部の前面に操作カバーを備えてなる炊飯器において、前記表示部と前記マイコン基板は非平行であることを特徴とする炊飯器。
【請求項２】
前記操作カバーと前記表示部は略平行で、前記操作カバーと前記マイコン基板は非平行であることを特徴とする請求項１記載の炊飯器。
【請求項３】
前記マイコン基板は、前記表示部より垂直方向に傾斜していることを特徴とする請求項１、２記載の炊飯器。
【請求項４】
前記マイコン基板上には、操作スイッチが設けられるとともに、該操作スイッチは、前記操作カバーに略垂直で、前記マイコン基板に非垂直に設けられることを特徴とする請求項１ないし３記載の炊飯器。
【請求項５】
前記操作スイッチには、カバー部が設けられることを特徴とする請求項４記載の炊飯器。
【発明の詳細な説明】
【技術分野】
【０００１】
本発明は、炊飯器に関し、特に、各種操作スイッチ及び表示部を取り付けるマイコン基板の配置構造に関するものである。
【背景技術】
【０００２】
近時、炊飯器の需要が増え、それにつれて多くの機能が付加されるようになり、緻密で効率的な炊飯制御並びにその後の長時間に渡る保温制御を確実に行うことができる等、炊飯器は、使い勝手の良い製品の一つとして広く利用されている。
【０００３】
一方、購買者は、使い勝手がよいという機能の面は勿論のこと、同じ機能を有する製品であれば、少しでも安価で且つ設置場所並びに持ち運びの便利さをも考慮し、小形のものを求める傾向にあり、炊飯器においてもその生産コストの低減並びに小型化は、喫緊な課題になっている。
【０００４】
ところで、炊飯器は上述したように緻密で効率的な炊飯制御等が可能な製品であり、そのような制御を可能にするためのマイコン基板並びに各種電子部品を取り付けるための電源基板が取り付けられている。
【０００５】
従来の炊飯器を図１１に基づいてその概略を説明する。炊飯器１は、図に示すように、外壁を形成する本体ケース２と、該本体ケース２の上端部に形成される肩部材６と、該肩部材６の上方開口部に設けられる蓋部材３によって構成されている。該蓋部材３の中央部には、弁部材４が設けられ、内部圧が所定以上に上昇した場合には、内部の蒸気を外部に放出する。また、蓋部材３の後方側には、公知のヒンジ機構５が設けられ、蓋部材３を本体ケース２に対して開閉自在にするとともに、蓋部材３は本体ケース２より取り外し可能にされる。
【０００６】
前記本体ケース２内には、内壁を形成する保護枠７が設けられるとともに、該保護枠７内には、お米等が入れられ調理するための内鍋８が収納配置される。また、保護枠７の下方と本体ケース２の底部上方との間にはコイル等の加熱手段９が配置され、内鍋８内に入れられたお米等を加熱調理する。
【０００７】
符号１０は、炊飯器１の前方側（ヒンジ機構５と反対側）に形成される空間の上方に傾斜して配置されるマイコン基板であり、保持部材１１に保持されるとともに、その上面には、表示部１２及び加熱手段９を操作するための操作スイッチ１３等が取り付けられる。また、マイコン基板１０の下方においてほぼ垂直に延設され、そのほぼ垂直な箇所には、加熱手段９を加熱制御するための各種電子部品１５が取り付けられる電源基板１４が保持される。（例えば、特許文献１参照）。
【０００８】
このように、従来の炊飯器１のマイコン基板１０は、炊飯器１の前方側に形成される空間内に表示部１２と略平行に設けられていた。そのため、表示部１２をより大きくしたり、或いは機能の多様化に合わせより多くの電子部品をマイコン基板１０に搭載したいとの要望によりマイコン基板１０を大きくしようとすると、炊飯器１の前方側が必要以上に前方へ突き出る結果、炊飯器１が大型化したり、デザイン的にも好ましいとは言えなかった。
【０００９】
一方このような要望に答えるものとして、マイコン基板１０の下方に垂直に別の第３の基板を取り付けるものがあった。
【００１０】
しかしながら、第３の基板を用いることは、それだけコスト高になり、だからといって第３の基板を用いることなくマイコン基板１０を大きくすることは、前述したように炊飯器１が大型化し、且つデザイン的にも好ましいものにはならない。このように従来、基板を２枚にし、炊飯器１を大型化することなくマイコン基板１０のみを大きくしたものはなかった。
【特許文献１】特開平８−２５８５７７号公報
【発明の開示】
【発明が解決しようとする課題】
【００１１】
本発明の目的は、従来の問題を解決することであり、詳細には、表示部とマイコン基板とを非平行に配置することにより、炊飯器を大型化することなく、且つ生産コストを高めることなくマイコン基板を大きくすることができる炊飯器を提供することである。
【課題を解決するための手段】
【００１２】
上記目的を達成するため、本願発明は以下の構成を採用する。
【００１３】
請求項１に係る発明では、内壁を形成する保護枠、外壁を形成する本体ケースからなる容器本体と、該容器本体に対し開閉自在な蓋部材と、前記保護枠と前記本体ケースとの間に設けられる加熱手段と、表示部が取り付けられるマイコン基板と、前記表示部の前面に操作カバーを備えてなる炊飯器において、前記表示部と前記マイコン基板は非平行である構成。
【００１４】
そしてこのような構成により、炊飯器全体を大きくすることなく、且つデザインを損ねることなくマイコン基板をより大きくすることができる。
【００１５】
請求項２に係る発明では、前記操作カバーと前記表示部は略平行で、前記操作カバーと前記マイコン基板は非平行である構成。そしてこのような構成により、表示部での視認性を損ねることなくマイコン基板をより大きくすることができる。
【００１６】
請求項３に係る発明では、前記マイコン基板は、前記表示部より垂直方向に傾斜している構成。そしてこのような構成により、炊飯器の前方側に形成される空間内を有用に利用できるため、炊飯器全体を大きくすることなく、且つデザインを損ねることなくマイコン基板を無理なく大きくすることができる。
【００１７】
請求項４に係る発明では、前記マイコン基板上には、操作スイッチが設けられるとともに、該操作スイッチは、前記操作カバーに略垂直で、前記マイコン基板に非垂直に設けられる構成。通常、炊飯器では、操作スイッチの下方に別体のタクトスイッチが設けられ、操作スイッチを押すことによりタクトスイッチが押されることになるため、このような構成によっても従来通りのスイッチ操作が行える。
【００１８】
請求項５に係る発明では、前記操作スイッチには、カバー部が設けられる構成。そしてこのような構成により、操作スイッチを押した場合、操作スイッチに一体に設けられるカバー部が、操作スイッチの下方に設けられるタクトスイッチの側壁に沿って下動するため、タクトスイッチの押圧は従来通り行われる。
【発明の効果】
【００１９】
請求項１に係る発明では、表示部とマイコン基板とを非平行にすることにより、基板構成をマイコン基板と電源基板の２枚にし、且つ、マイコン基板面積を大きくすることが可能となり、熱的影響の少ないマイコン基板により多くの電子部品を搭載することができ、且つ表示部をより大型化することができる。更に、炊飯器全体を大きくすることなく、決められたデザイン寸法内でコストダウンが達成できる。
【００２０】
請求項２に係る発明では、操作カバーと表示部とを略平行に、操作カバーとマイコン基板とを非平行にすることにより、表示部での視認性を損ねることなくマイコン基板面積を大きくすることができるとともに、基板構成を２枚にすることができ、しいては炊飯器全体を大きくすることなく、決められたデザイン寸法内でコストダウンが達成できる。
【００２１】
請求項３に係る発明では、マイコン基板を表示部より垂直方向に傾斜させることにより、請求項１、２に係る発明の効果に加え、炊飯器の前方側に形成される空間内を有用に利用できるため、マイコン基板を無理なく大きくすることができる。しいては炊飯器全体を大きくすることなく、決められたデザイン寸法内でコストダウンが達成できる。
【００２２】
請求項４に係る発明では、マイコン基板上に操作スイッチを設け、操作スイッチを操作カバーに略垂直で、且つマイコン基板に非垂直に設けることにより、請求項１ないし３に係る発明の効果に加え、操作スイッチの押圧を、マイコン基板に取り付けられるタクトスイッチに伝達することができるため、従来通りのスイッチ操作を行うことができる。
【００２３】
請求項５に係る発明では、操作スイッチにカバー部が設けられることにより、請求項４に係る発明の効果に加え、カバー部が操作スイッチを正規の方向に案内し、その偏動を防止するため、スイッチ操作の信頼性を高めることができる。
【実施例１】
【００２４】
図１は、炊飯器に本発明を適用した断面図を示し、後記のヒンジ機構３１が設けられる側を後方側、該ヒンジ機構３１と反対の操作カバー５１が設けられる側を前方側とする。炊飯器２０は、大別して、外壁を形成する本体ケース２１と、該本体ケース２１の上端部に形成される肩部材２２と、該肩部材２２の上方開口部に設けられる蓋部材２３とからなる。該蓋部材２３は、樹脂製で、上板２４、下板２５及び放熱板２６から構成される。そして上板２４と下板２５との間には断熱空間２７が形成され熱の逃げを極力低減している。図示していないが、前記放熱板２６の上面に蓋ヒータを配置したり、或いは肩部材２２に肩ヒータを設け該放熱板２６をこれらヒータにより加熱し、内鍋３７内のご飯等を上部から加熱することもできる。
【００２５】
また、蓋部材２３の中央部には、弁部材２８が設けられ、内部圧が所定以上になると内部の蒸気を蒸気通路２９を介して蒸気口３０より外部に放出する。更に、蓋部材２３の後方側には、既に公知のバネ材を内在したヒンジ機構３１が設けられ、炊飯器２０の前方側上部に設けられるロック部材３２の施錠ないし開錠作用により蓋部材２３を本体ケース２１に対して開閉自在にするとともに、該蓋部材２３の開放状態で蓋部材２３を上方に持ち上げることにより着脱自在に形成してなり、蓋部材２３を本体ケース２１より取り外すことによりその丸洗いを可能にしている。
【００２６】
前記本体ケース２１は樹脂製で、その内部には内壁を形成する保護枠３３が設けられ、更に該保護枠３３の側壁には保温ヒータ３６が取り付けられており、保温時等に内鍋３７を加熱する。また、本体ケース２１の底部には複数の脚部３５が一体に形成されている。
【００２７】
前記保護枠３３内には、ご飯等を入れ加熱調理するための内鍋３７が収納配置され、また、保護枠３３の底部には加熱手段としてのコイル３８が取り付けられており、該コイル３８への通電量を図示しない制御手段により制御し内鍋３７内のご飯等を電磁誘導加熱により適正加熱する。
【００２８】
また、保護枠３３の底部中央には開口３９が設けられるとともに、該開口３９より進退自在にセンターセンサー４０が上方に突出する形態で配設されており、前記内鍋３７を保護枠３３内に収納すると内鍋３７の中央底面が突出しているセンターセンサー４０の頂部を押圧する。すると該センターセンサー４０は押し下げられ、炊飯器２０の加熱制御を可能にする。このようにセンターセンサー４０は、炊飯器２０の安全装置をも兼ねている。
【００２９】
炊飯器２０の前方側には、本体ケース２１と保護枠３３との間に図に示すような前方側に断面略く字形の前方空間４１が形成されている。この前方空間４１の上方であって後方側から前方側へ向かって下方へ傾斜した出っ張り部分の上面に操作部５０が形成される。
【００３０】
この操作部５０は、前記肩部材２２と一体に形成されており、後記表示部５９を視認可能な窓５２、及び複数のスイッチ穴６２が設けられ、更にその外面には透明で樹脂製の操作カバー５１が貼付されている。
【００３１】
そして、前記前方空間４１には、２枚の基板である電源基板４５とマイコン基板５３が配設される。電源基板４５は、前方空間４１内にマイコン基板５３より後方側にほぼ垂直に配置される基板であり、誘導加熱に必要なパワートランジスタ(ＩＧＢＴ)、各種駆動回路等の発熱素子等からなり前記コイル３８等を制御するための各種電子部品４６が取り付けられている。
【００３２】
この電源基板４５は、肩部材２２に図示しないビスによって垂下する形態で取り付けられる保持部材４７にやはり図示しないビスによって固定され、更にその下方には、下方から上方に向かって空気を排出する冷却ファン４８が設けられるとともに、該冷却ファン４８の上方には、ＩＧＢＴ等の発熱素子を有効に冷却するためのシンク４９が取り付けられる。
【００３３】
符号５３はマイコン基板であり、前記電源基板４５の前方で、且つ操作部５０の下方で該操作部５０に沿うような形態で配置される。そして、該マイコン基板５３は、その上端が肩部材２２に近接され、且つ肩部材２２に取り付けられる保持部材５４にやはり図示しないビスによって固定される。
【００３４】
マイコン基板５３には、表示部５９を載置する受け台５６を取り付けるための取付穴６３、炊飯のための各種機能を行わせるための複数のタクトスイッチ５５及び図示しない各種電子部品、及びピン穴６１等が設けられ、これらの電子部品等は、マイコン基板５３の裏面で半田等により電気的に接続されるとともに、前記電源基板４５の各種電子部品とも図示しないリード線により電気的に接続される。
【００３５】
前記受け台５６は、液晶等の表示部５９を載置する樹脂製の部材であり、図４に示すように載置部５６ａ、長辺取付脚５６ｂ、短辺取付脚５６ｃ及び支持脚５６ｄが一体成形されてなる。そして、載置部５６ａは、平面視矩形状の箱状部材であり、その内側面には対向して液晶からなる表示部５９を載置し、取り付けるための係止片５６ｆが形成され、また、その底部には表示部５９に接続される電線の機能を奏するピン６０が挿通される貫通穴５６ｅが設けられる。
【００３６】
また、前記長辺取付脚５６ｂは、載置部５６ａの底部外面の前方側に２本形成される取付部材であり、それぞれ同じ長さで且つ図４に示すように短辺取付脚５６ｃより長い長さＨに形成されるとともに、その先端には断面レ字状の係止部６６が形成されている。一方、短辺取付脚５６ｃは、載置部５６ａの底部外面の後方側に２本形成される取付部材であり、それぞれ同じ長さで且つ長辺取付脚５６ｂより短い長さｈに形成されるとともに、その先端には同じく断面レ字状の係止部６６が形成されている。
【００３７】
そして、受け台５６がマイコン基板５３上に取り付けられた際には、長辺取付脚５６ｂ及び短辺取付脚５６ｃは、マイコン基板５３に設けられる取付穴６３に挿入され、断面レ字状の係止部６６がマイコン基板５３の反対側の面に係止されることにより、その取り付けが行われる。
【００３８】
前記支持脚５６ｄは、載置部５６ａの底部外面の前方側及び後方側にそれぞれ１本ずつ形成される支持部材であり、前方側のものは後方側のものに比べ長くされており、受け台５６がマイコン基板５３上に取り付けられた際には、各支持脚５６ｄの底面はマイコン基板５３上に当接されるとともに、該２本の支持脚５６ｄの底面と前記長辺取付脚５６ｂ及び短辺取付脚５６ｃの係止部６６とでマイコン基板５３を狭持する。即ち、長辺取付脚５６ｂ、短辺取付脚５６ｃ及び支持脚５６ｄは、受け台５６がマイコン基板５３上に取り付けられた際には、受け台５６がマイコン基板５３に対し、ガタつくことのないようにそれぞれの寸法が選定される。
【００３９】
そして、受け台５６の側面には、リブ６４を介して複数個の操作スイッチ５７が一体に形成され、受け台５６をマイコン基板５３上に取り付けた際には、複数個の操作スイッチ５７は、操作部５０に設けられる複数個のスイッチ穴６２から若干突出する形態とされ、更に操作スイッチ５７の底面は、マイコン基板５３上に取り付けられるタクトスイッチ５５の上面に若干の隙間を有して位置するように設定される。なお、図４では、操作スイッチ５７は、１個のみ示しその他のものは省略している。
【００４０】
受け台５６のマイコン基板５３上への取り付けは次のように行われる。即ち、まず、表示部５９のピン６０を載置部５６ａの貫通穴５６ｅから下方へ垂下する形態で表示部５９を載置部５６ａ上に載置し、対向する係止片５６ｆで取り付ける。次いで、受け台５６の長辺取付脚５６ｂがマイコン基板５３の前方側の取付穴６３に合い、短辺取付脚５６ｃがマイコン基板５３の後方側の取付穴６３に合うように受け台５６をマイコン基板５３上へ置き、長辺取付脚５６ｂ及び短辺取付脚５６ｃをマイコン基板５３のそれぞれの取付穴６３内に押し込む。
【００４１】
すると、支持脚５６ｄの底面はマイコン基板５３上に当接するとともに、前記長辺取付脚５６ｂ及び短辺取付脚５６ｃの係止部６６は、マイコン基板５３の反対の面に係止され、支持脚５６ｄと長辺取付脚５６ｂ及び短辺取付脚５６ｃとでマイコン基板５３を強く狭持する。それとともに、ピン６０の下端は、マイコン基板５３に設けられる長孔のピン穴６１より若干下方に突き出され、その突き出た部分は、他の電子部品等との電気的接続のために半田付けがなされる。また、受け台５６の側面にリブ６４を介して一体に形成される複数個の操作スイッチ５７の底面は、マイコン基板５３上に取り付けられるタクトスイッチ５５の上面に若干の隙間を有して位置する。なお、ピン穴６１は、表示部５９に連結されるピン６０が挿入しやすいように円形ではなく前後方向に細長い長孔とされる。
【００４２】
受け台５６は上記したような形態からなるため、受け台５６をマイコン基板５３に取り付けた状態では、表示部５９とマイコン基板５３とは非平行であり、マイコン基板５３を水平におけば、長辺取付脚５６ｂの側が短辺取付脚５６ｃの側より高くなる。
【００４３】
次いで、受け台５６を取り付けたマイコン基板５３を保持部材５４に取り付けることになるが、該保持部材５４は、操作部５０の上面に貼付される操作カバー５１に非平行で、且つ操作カバー５１の傾斜角度より、より垂直な傾斜角度を有して取り付けられている。この保持部材５４に対してマイコン基板５３は平行に取り付けられる。
【００４４】
そのため、マイコン基板５３が保持部材５４に取り付けられた状態では、マイコン基板５３は、操作カバー５１に非平行であり、且つ操作カバー５１の傾斜角度より、より垂直な傾斜角度を有して取り付けられる。それに対し、表示部５９は操作カバー５１と略平行になるように設定されており、その結果、操作カバー５１と表示部５９は略平行で、操作カバー５１とマイコン基板５３は、非平行になるとともに、マイコン基板５３は、表示部５９より、より垂直方向に傾斜していることになる。
【００４５】
また、前述したように、受け台５６の側面にリブ６４を介して一体に形成される複数個の操作スイッチ５７の上端部は、操作部５０に設けられる複数個のスイッチ穴６２から若干突出するとともに、操作スイッチ５７の底面は、マイコン基板５３上に取り付けられるタクトスイッチ５５の上面に若干の隙間を有して位置する。そして、操作スイッチ５７は、操作性を良好に行うため操作カバー５１に略垂直になるように設けられるため、マイコン基板５３に対して非垂直になる。
【００４６】
ところで、タクトスイッチ５５はマイコン基板５３上に水平に取り付けられるため、操作スイッチ５７の軸線とタクトスイッチ５５の軸線とは、一致しないことになり、操作スイッチ５７を押圧した場合、操作スイッチ５７の底面がタクトスイッチ５５の上面より下方に滑り易くなり、タクトスイッチ５５が正常に押圧されない場合が生じる。そのような弊害をなくすため、図３に示すように操作スイッチ５７の上方になる側面に円弧状のカバー部材５８を一体に形成している。
【００４７】
そのため、操作スイッチ５７が押圧され、図３で矢印で示すように操作スイッチ５７が下動すると、操作スイッチ５７とともにカバー部材５８も下動し、該カバー部材５８の内面が図３で波線で示すようにタクトスイッチ５５の上方側の側面に沿って上下に移動する。その結果、操作スイッチ５７の底面がタクトスイッチ５５の上面より下方に滑り落ちる動作がなくなり、タクトスイッチ５５が正常に押圧される。
【００４８】
なお、カバー部材５８を設けることなく、例えば、タクトスイッチ５５の下面にくさび形の部材を介在させ、操作スイッチ５７の軸線とタクトスイッチ５５の軸線とを一致させるようにしても良い。
【００４９】
マイコン基板５３を上記したように配置することにより、表示部５９の視認性を確保し、且つマイコン基板５３の面積をより大きくすることができる。そのため、表示部５９をより大きくすることができるとともに、マイコン基板５３上へ搭載部品を増やすことができる。更に、何らかの原因でマイコン基板５３上に水分が付着したとしてもマイコン基板５３は従来のものより大きく傾斜しているため付着した水分をより早く下方へ移動させることができる。なお、マイコン基板５３の傾斜角度は必要に応じて大きくすることができる。
【００５０】
図５、図６にマイコン基板５３に電池を取り付ける例を示す。即ち、マイコン基板５３の裏面に電池７０を取り付けると、電池７０を取り付ける半田が剥がれたり電池７０が落下したり、或いは、内鍋を加熱する熱により電池７０が加熱される恐れがあった。この例はこのような弊害を防止するためのものである。
【００５１】
図に示すようにマイコン基板５３の裏面に電池７０を取り付ける。そして、マイコン基板５３を保持する保持部材５４の該電池７０が対向する箇所に下方に窪んだ電池受け部７１を形成するとともに、該電池受け部７１の後端側に開口７２を設ける。この開口７２は、図で破線で示すように垂直に形成される。開口７２を垂直に形成する理由は、電池受け部７１を金型で作る場合の金型の割方向を容易にするためである。
【００５２】
金型の割方向をこのような上下方向とすることにより図に示すような電池受け部７１を簡単に作ることができる。図５のものは、電池７０が横型のものを示し、図６のものは、電池７０が縦型のものの要部を示す。
【００５３】
図７に電池７０を取り付ける更なる変形例を示す。電池及びブザー等の部品は他の電子部品と比べ大きいため、例え、マイコン基板５３の裏面に電池７０を取り付けようとしても制約が多くなる。この例のものはそのような弊害に対処するもので、保持部材５４の裏面に専用の基板７３を設け、この基板７３の裏面に電池７０を取り付けるものである。
【００５４】
そして、基板７３をビス７４により保持部材５４に固定し、電池７０とマイコン基板５３上に電子部品等とをコネクタ７５、７６により電気的に接続する。この例の場合、基板７３を別途設けることになるが、電池及びブザー等の大型部品を予め基板７３にユニット状に取り付けておき、ユニット化した基板７３を保持部材５４に取り付けることにより、マイコン基板５３上への電子部品等の搭載の自由度が高まるとともに、マイコン基板５３を更に広く利用することができる。
【実施例２】
【００５５】
図８は、炊飯器に本発明を適用した他の例であり、表示部５９と受け台５６とを非平行にし、受け台５６とマイコン基板５３とを平行に配置するもので、要部のみを示しその他の構成は実施例１のものと同じであり、詳細な説明は省略する。
【００５６】
即ち、受け台５６上に前方から後方にかけて最も長いリブ８０ａ、中間の長さのリブ８０ｂ及び最も短いリブ８０ｃを設け、これらリブ８０ａ、８０ｂ、８０ｃの上に表示部５９を操作カバー５１と略平行になるように載置するものである。その結果、操作カバー５１と表示部５９とは略平行になり、表示部５９と受け台５６及びマイコン基板５３とは非平行になり、更に、受け台５６とマイコン基板５３とは平行になる。なお、上記リブは３個として説明したが、受け台５６上に表示部５９を角度を有して取り付けることができるものであればいくつでも良く、更に受け台５６と一体のものでも別体のものでも良い。
【００５７】
この例のものでも、表示部５９とマイコン基板５３とを非平行にでき、マイコン基板５３をより垂直方向に立てることができ、その表面積である電子部品搭載面積を増大することができる。更に、受け台５６の取付脚５６ｂ、５６ｃを同じ長さで作ることができるためその設計が容易になる。
【実施例３】
【００５８】
図９は、炊飯器に本発明を適用した更に他の例であり、受け台５６をなくし、表示部５９を窓５２の下面に取り付けるもので、要部のみを示しその他の構成は実施例１のものと同じであり、詳細な説明は省略する。
【００５９】
即ち、表示部５９を窓５２の下面に係止手段８１にムリ嵌めにより取り付け、マイコン基板５３と保持部材５４とを表示部５９より垂直方向に角度を設けて取り付けるものである。そして、マイコン基板５３との接続はコネクタ８２、８３によって行う。その結果、操作カバー５１と表示部５９とは略平行になり、表示部５９とマイコン基板５３とは非平行になる。
【００６０】
この例のものでも、表示部５９とマイコン基板５３とを非平行にでき、マイコン基板５３をより垂直方向に立てることができ、その表面積である電子部品の搭載面積を増大することができる。更に、受け台５６が不要になるため、それだけマイコン基板５３上での電子部品の搭載面積を増大することができるとともに、生産コストを低減することができる。
【００６１】
図１０は、本発明の変形例を示す。炊飯器は、発熱素子等を備えているため、その底部等に設けられる空気取入口より冷却空気を取り入れ、必要箇所の冷却を行っている。即ち、炊飯器の内部は暖かく、且つ、空気取入口が設けられているため、ゴキブリ等の虫が入り込むことがある。虫が炊飯器の内部に入るのは好ましいことではないが、例え入ったとしても内鍋３７に入り込むことはできないため、ご飯等には影響はない。ところが、炊飯器の内部に入った虫が炊飯器の内部を歩き回り、受け台５６より表示部５９に侵入することがある。虫が表示部５９に侵入すると窓５２から見えることになり、ユーザーに多大の不快感を与えることになる。この例のものは、このような弊害を防止するものである。
【００６２】
即ち、受け台５６の外周部を形成する側面に図に示すような垂直壁９０を立設する。この垂直壁９０の上端部は、虫９４が表示部５９に入り込まないように操作部５０を形成する肩部材２２の内面にできる限り近接させる。本来、垂直壁９０の上端部を肩部材２２の内面に当接させ、虫９４が表示部５９に入り込まないようにするのが最も有効ではあるが、表示部５９は熱を発生するため、その周囲に空気が流れる空間を設けておく必要がある。そのため、垂直壁９０の上端部と肩部材２２の内面との間隔Ｒは、虫９４が表示部５９に入り込まない長さ、例えば、０．１ｍｍ程度にする。
【００６３】
更に、この例では、垂直壁９０の上端部に外周方向に張り出してつば部９１を設けている。このような形態により、図に示すように、例え、虫９４がＡで示すように、受け台５６の外周部をはい上がり、表示部５９に侵入しようとしても、つば部９１によりＢで示すように下方に落下するため、表示部５９に侵入することはない。
【００６４】
このような構成を受け台５６に採用したとしても、小さな虫が、例えば、受け台５６のつば部９１を乗り越えたり、或いは、肩部材２２の内面を伝って表示部５９に侵入を試みる場合がある。そのような場合に有効な手段として、垂直壁９０の上端部と肩部材２２の内面との間隔Ｒの間に通気性を有する例えばシリコン性のシール材９２を設けることにより、このような弊害を防止することができる。この場合、シール材９２の形状は、受け台５６の上端部と同じ矩形状である。
【００６５】
また、シール材９２を設けるのに変え、図に示すように表示部５９近傍に虫９４の忌避材９３を設けても良い。このようにすることによっても表示部５９への虫９４の侵入を防止することができる。なお、この例の場合、表示部とマイコン基板が平行な従来例のものにも適用することができる。
【００６６】
本願発明は、上記実施例の構成に限定されるものではなく、発明の要旨を逸脱しない範囲において適宜設計変更可能である。
【図面の簡単な説明】
【００６７】
【図１】本願発明の炊飯器の実施例の全体断面図
【図２】本願発明のマイコン基板の要部拡大断面図
【図３】本願発明の操作スイッチとタクトスイッチの拡大斜視図
【図４】本願発明の受け台の拡大斜視図
【図５】本願発明のマイコン基板に電池を取り付けた場合の要部拡大断面図
【図６】本願発明のマイコン基板に他の電池を取り付けた場合の要部拡大断面図
【図７】本願発明のマイコン基板に電池を取り付けた場合の他の要部拡大断面図
【図８】本願発明の他のマイコン基板の要部拡大断面図
【図９】本願発明の更に他のマイコン基板の要部拡大断面図
【図１０】本願発明の更に他のマイコン基板の要部拡大断面図
【図１１】従来例の炊飯器の断面図
【符号の説明】
【００６８】
２０…炊飯器            ２１…本体ケース
２２…肩部材            ２３…蓋部材
２４…上板              ２５…下板
２６…放熱板            ２７…断熱空間
２８…弁部材            ２９…蒸気通路
３０…蒸気口            ３１…ヒンジ機構
３２…ロック部材        ３３…保護枠
３５…脚部              ３６…保温ヒータ
３７…内鍋              ３８…コイル
３９…開口              ４０…センターセンサー
４１…前方空間          ４５…電源基板
４６…電子部品          ４７…保持部材
４８…冷却ファン        ４９…シンク
５０…操作部            ５１…操作カバー
５２…窓                ５３…マイコン基板
５４…保持部材          ５５…タクトスイッチ
５６…受け台            ５６ａ…載置部
５６ｂ…長辺取付脚      ５６ｃ…短辺取付脚
５６ｄ…支持脚          ５６ｅ…貫通穴
５６ｆ…係止片          ５７…操作スイッチ
５８…カバー部材        ５９…表示部
６０…ピン              ６１…ピン穴
６２…スイッチ穴        ６３…取付穴
６４，８０ａ，８０ｂ，８０ｃ…リブ      ６６…係止部
７０…電池              ７１…電池受け部
７２…開口              ７３…基板
７４…ビス              ７５，７６，８２，８３…コネクタ
９０…垂直壁            ９１…つば部
９２…シール材          ９３…忌避材
９４…虫
【図１】
2005288046.tif 000003
【図２】
2005288046.tif 000004
【図３】
2005288046.tif 000005
【図４】
2005288046.tif 000006
【図５】
2005288046.tif 000007
【図６】
2005288046.tif 000008
【図７】
2005288046.tif 000009
【図８】
2005288046.tif 000010
【図９】
2005288046.tif 000011
【図１０】
2005288046.tif 000012
【図１１】
2005288046.tif 000013